(57)【要約】【課題】  この発明は、Ｓ／Ｎ比の改善が図れる音声信号レベル制御回路を提供することを目的とする。【解決手段】  音声信号が入力されかつ入力音声信号を減衰させるためのボリュームＩＣおよびボリュームＩＣの出力を増幅するための増幅手段を備えている音声信号レベル制御回路において、ボリューム値を入力するための入力手段、ボリュームＩＣより後段に設けられかつそれに入力する信号を所定量だけ減衰させるためのレベルダウン回路、および入力手段によって入力されたボリューム値に基づいて、ボリュームＩＣでの信号減衰量を制御するとともに、レベルダウン回路を作動状態にするか非作動状態にするかを制御するための制御手段を備えている。【選択図】  図２
2005286603.tif 000002
【特許請求の範囲】
【請求項１】
音声信号が入力されかつ入力音声信号を減衰させるためのボリュームＩＣおよびボリュームＩＣの出力を増幅するための増幅手段を備えている音声信号レベル制御回路において、
ボリューム値を入力するための入力手段、
ボリュームＩＣより後段に設けられかつそれに入力する信号を所定量だけ減衰させるためのレベルダウン回路、および
入力手段によって入力されたボリューム値に基づいて、ボリュームＩＣでの信号減衰量を制御するとともに、レベルダウン回路を作動状態にするか非作動状態にするかを制御するための制御手段、
を備えていることを特徴とする音声信号レベル制御回路。
【請求項２】
制御手段は、
入力手段によって入力されたボリューム値に対応する信号減衰量が、レベルダウン回路が作動状態にあるときの信号減衰量以下であるときには、レベルダウン回路を非作動状態にさせるとともに、ボリュームＩＣの信号減衰量を、入力手段によって入力されたボリューム値に対応する信号減衰量に設定する手段、および
入力手段によって入力されたボリューム値に対応する信号減衰量が、レベルダウン回路が作動状態にあるときの信号減衰量より大きいときには、レベルダウン回路を作動状態にさせるとともに、ボリュームＩＣの信号減衰量を、入力手段によって入力されたボリューム値に対応する信号減衰量からレベルダウン回路が作動状態にあるときの信号減衰量を減算した値に設定する手段、
を備えていることを特徴とする請求項１に記載の音声信号レベル制御回路。
【発明の詳細な説明】
【技術分野】
【０００１】
この発明は、音声信号レベル制御回路に関する。
【背景技術】
【０００２】
図１は、従来の音声信号レベル制御回路の構成を示している。
【０００３】
音声信号はボリュームＩＣ１によって減衰せしめられる。ボリュームＩＣ１の出力は、プリアンプ２およびパワーアンプ３によって増幅された後、スピーカ４に送られる。この音声信号レベル制御回路では、プリアンプ２およびパワーアンプ３の増幅量を一定とし、ボリュームＩＣ１での信号減衰量を制御することによって、スピーカ４の出力レベルを調整している。
【０００４】
マイコン５には、ボリューム値を入力するための操作部６が接続されている。マイコン５は、操作部６から入力されたボリューム値に基づいて、ボリュームＩＣ１での減衰量を制御する。
【０００５】
ボリュームＩＣ１が動作した際にはノイズ（動作ノイズ）が発生する。このため、ボリュームＩＣ１の出力信号にはノイズ成分が発生する。ボリュームＩＣ１の動作ノイズの大きさは、ボリュームＩＣ１での信号減衰量の大きさにかかわらず一定であるので、ボリュームＩＣ１での信号減衰量を大きくするにつれ、ボリュームＩＣ１の出力のＳ／Ｎ比が悪くなる。
【０００６】
ボリュームＩＣ１の出力は、後段のプリアンプ２およびパワーアンプ３によって増幅されてスピーカ４に送られるため、スピーカ４の出力音声もＳ／Ｎ比の悪い音声となる。このような理由により、従来の音声信号レベル制御回路では、特にボリュームＩＣ１での信号減衰量を大きくした場合には、スピーカ４からの出力音声が聴き取りにくいという問題がある。
【特許文献１】特開平５−１６７６７０号公報
【発明の開示】
【発明が解決しようとする課題】
【０００７】
この発明は、Ｓ／Ｎ比の改善が図れる音声信号レベル制御回路を提供することを目的とする。
【課題を解決するための手段】
【０００８】
請求項１に記載の発明は、音声信号が入力されかつ入力音声信号を減衰させるためのボリュームＩＣおよびボリュームＩＣの出力を増幅するための増幅手段を備えている音声信号レベル制御回路において、ボリューム値を入力するための入力手段、ボリュームＩＣより後段に設けられかつそれに入力する信号を所定量だけ減衰させるためのレベルダウン回路、および入力手段によって入力されたボリューム値に基づいて、ボリュームＩＣでの信号減衰量を制御するとともに、レベルダウン回路を作動状態にするか非作動状態にするかを制御するための制御手段を備えていることを特徴とする。
【０００９】
請求項２に記載の発明は、請求項１に記載の発明において、制御手段は、入力手段によって入力されたボリューム値に対応する信号減衰量が、レベルダウン回路が作動状態にあるときの信号減衰量以下であるときには、レベルダウン回路を非作動状態にさせるとともに、ボリュームＩＣの信号減衰量を、入力手段によって入力されたボリューム値に対応する信号減衰量に設定する手段、および入力手段によって入力されたボリューム値に対応する信号減衰量が、レベルダウン回路が作動状態にあるときの信号減衰量より大きいときには、レベルダウン回路を作動状態にさせるとともに、ボリュームＩＣの信号減衰量を、入力手段によって入力されたボリューム値に対応する信号減衰量からレベルダウン回路が作動状態にあるときの信号減衰量を減算した値に設定する手段を備えていることを特徴とする。
【発明の効果】
【００１０】
この発明によれば、Ｓ／Ｎ比の改善が図れるようになる。
【発明を実施するための最良の形態】
【００１１】
以下、図２〜図４を参照して、この発明の実施例について説明する。
【実施例１】
【００１２】
図２は、音声信号レベル制御回路の構成を示している。
【００１３】
図２において、図１と同じものには、同じ符号を付してその説明を省略する。この音声信号レベル制御回路では、ボリュームＩＣ１とプリアンプ２との間に、レベルダウン回路１０が組み込まれている。
【００１４】
レベルダウン回路１０は、ボリュームＩＣ１とプリアンプ２との間に接続された抵抗Ｒ１と、抵抗Ｒ１とプリアンプ２との接続点に一端が接続された抵抗Ｒ２と、抵抗Ｒ２の他端と接地との間に接続されたスイッチングトランジスタＴｒとを備えている。スイッチングトランジスタＴｒのコレクタに抵抗Ｒ２の他端が接続されている。スイッチングトランジスタＴｒのエミッタは接地されている。スイッチングトランジスタＴｒのベースは、  マイコン５に接続されている。
【００１５】
スイッチングトランジスタＴｒのベースには、マイコン５からオンオフ制御信号が与えられる。オンオフ制御信号がＨレベルのときには、スイッチングトランジスタＴｒがオンとなり、レベルダウン回路１０が作動状態となる。オンオフ制御信号がＬレベルのときには、スイッチングトランジスタＴｒがオフとなり、レベルダウン回路１０が非作動状態となる。
【００１６】
従来の音声信号レベル制御回路では、ボリュームＩＣ１のみによって、スピーカ出力のレベル調整を行っていた。例えば、従来の音声信号レベル制御回路においては、ボリュームＩＣ１は、信号減衰量の大きさが０ｄＢ〜８０ｄＢの範囲で、入力音声信号を減衰する。従来の音声信号レベル制御回路における信号減衰量とボリューム値との関係ならびに信号減衰量に対するボリュームＩＣ１の出力に含まれる信号成分およびノイズ成分の変化を図３（ａ）に示す。信号減衰量にかかわらずノイズ成分が一定であるため、信号減衰量が大きくなるほど、ボリュームＩＣ１の出力信号のＳ／Ｎ比が悪くなることが分かる。
【００１７】
これに対して、本実施例では、ボリュームＩＣ１とレベルダウン回路１０とによって、アンプ出力の調整を行う。本実施例では、ボリュームＩＣ１で調整される信号減衰量の大きさの範囲は０ｄＢ〜４０ｄＢである。レベルダウン回路１０が作動状態である場合におけるレベルダウン回路１０での信号減衰量の大きさは一定（４０ｄＢ）である。
【００１８】
本実施例では、信号減衰量が０ｄＢから４０ｄＢまでの範囲内での信号レベルの減衰は、ボリュームＩＣ１のみを使用して行なう。信号減衰量が４１ｄＢから８０ｄＢまでの範囲内での信号レベルの減衰は、レベルダウン回路１０を作動状態にさせるとともに、ボリュームＩＣ１での信号減衰量を１ｄＢから４０ｄＢまでの間で制御することによって行う。
【００１９】
本実施例の音声信号レベル制御回路における信号減衰量とボリューム値との関係ならびに信号減衰量に対するボリュームＩＣ１の出力に含まれる信号成分およびノイズ成分の変化を図３（ｂ）に示す。信号減衰量が０ｄＢから４０ｄＢまでの範囲内では、信号減衰量に対する信号成分およびノイズ成分の変化は従来例と同様となる。しかしながら、信号減衰量が４１ｄＢ以上になると、レベルダウン回路１０が作動状態となり、レベルダウン回路１０によりボリュームＩＣ１の出力における信号成分とノイズ成分との両方が減衰せしめられるため、ボリュームＩＣ１の出力信号のＳ／Ｎ比が改善される。
【００２０】
図４は、マイコン５による制御処理手順を示している。
【００２１】
マイコン５は、操作部６から入力されるボリューム値に基づいて、ボリュームＩＣ１での減衰量と、レベルダウン回路１０のスイッチングトランジスタＴｒのオンオフを制御する。
【００２２】
操作部６から入力されたボリューム値を取り込む（ステップＳ１）。そして、取り込んだボリューム値に対応する信号減衰量Ｇが４０ｄＢ以下であるか否かを判別する（ステップＳ２）。ボリューム値に対応する信号減衰量Ｇが４０ｄＢ以下であるときには、ボリュームＩＣ１での信号減衰量をボリューム値に対応する信号減衰量Ｇに設定するとともに、レベルダウン回路１０のスイッチングトランジスタＴｒをオフ状態にさせる（ステップＳ３）。
【００２３】
上記ステップＳ２において、ボリューム値に対応する信号減衰量Ｇが４０ｄＢより大きいと判別したときには、ボリュームＩＣ１での減衰量をボリューム値に対応する信号減衰量Ｇから４０ｄＢを減算した値（Ｇ−４０）に設定するとともに、レベルダウン回路１０のスイッチングトランジスタＴｒをオン状態にさせる（ステップＳ４）。
【００２４】
上記実施例では、レベルダウン回路１０は、ボリュームＩＣ１とプリアンプ２との間に組み込まれているが、プリアンプ２とパワーアンプ３との間に組み込んでもよい。
【００２５】
レベルダウン回路１０の信号減衰量は、２つの抵抗Ｒ１，Ｒ２の抵抗比によって変えることができる。レベルダウン回路１０で６０ｄＢ減衰できるようにした場合には、信号減衰量が０ｄＢから６０ｄＢまでの範囲内での信号レベルの減衰をボリュームＩＣ１のみで行ない、信号減衰量が６１ｄＢから８０ｄＢまでの範囲内での信号レベルの減衰を、レベルダウン回路１０を作動状態にさせるとともに、ボリュームＩＣ１での信号減衰量を１ｄＢから２０ｄＢまでの間で制御することによって行うようにすればよい。このようにすれば、信号減衰量が６１ｄＢ以上において、ボリュームＩＣ１の出力信号のＳ／Ｎ比が改善される。このように、レベルダウン回路１０での信号減衰量を調節することによって、Ｓ／Ｎ比を改善する範囲を調整することができる。
【００２６】
また、図５に示すように、レベルダウン回路を複数段設けてもよい。図５では、抵抗Ｒ１と抵抗Ｒ２とトランジスタＴｒ１とで第１段目のレベルダウン回路１１が構成され、抵抗Ｒ１と抵抗Ｒ３とトランジスタＴｒ３とで第２段目のレベルダウン回路１２が構成されている。このようにレベルダウン回路を複数段設けると、ボリュームＩＣ１での減衰量を少なくすることができるので、Ｓ／Ｎ比を改善できる範囲を広くすることができる。
【００２７】
例えば、各レベルダウン回路１１，１２の信号減衰量を３０ｄＢとすると、信号減衰量が０ｄＢから３０ｄＢまでの範囲内での信号レベルの減衰をボリュームＩＣ１のみで行なう。そして、信号減衰量が３１ｄＢから６０ｄＢまでの範囲内での信号レベルの減衰を、第１段目のレベルダウン回路１１を作動状態にするとともに、ボリュームＩＣ１での信号減衰量を１ｄＢから３０ｄＢまでの間で制御することによって行う。そして、信号減衰量が６１ｄＢから８０ｄＢまでの範囲内での信号レベルの減衰を、第１段目および第２段目のレベルダウン回路１１，１２をともに作動状態にするとともに、ボリュームＩＣ１での信号減衰量を１ｄＢから２０ｄＢまでの間で制御することによって行う。
【図面の簡単な説明】
【００２８】
【図１】従来の音声信号レベル制御回路の構成を示す電気回路図である。
【図２】本実施例の音声信号レベル制御回路の構成を示す電気回路図である。
【図３】従来の音声信号レベル制御回路における信号減衰量とボリューム値との関係ならびに信号減衰量に対するボリュームＩＣ１の出力に含まれる信号成分およびノイズ成分の変化と、本実施例の音声信号レベル制御回路における信号減衰量とボリューム値との関係ならびに信号減衰量に対するボリュームＩＣ１の出力に含まれる信号成分およびノイズ成分の変化とを示すグラフである。
【図４】マイコン５による制御処理手順を示すフローチャートである。
【図５】レベルダウン回路が複数段設けられている例を示す電気回路図である。
【符号の説明】
【００２９】
１  ボリュームＩＣ
２  プリアンプ
３  パワーアンプ
４  スピーカ
５  マイコン
６  操作部
１０，１１，１２  レベルダウン回路
【図１】
2005286603.tif 000003
【図２】
2005286603.tif 000004
【図３】
2005286603.tif 000005
【図４】
2005286603.tif 000006
【図５】
2005286603.tif 000007